(57)【要約】【課題】  撮影時に撮像素子の有効画素全体を用いることができると共に、測色のために用意された測光素子を備えることなく、被写界の測色情報を得て、的確なホワイトバランス調整をおこなうことができるカメラを得る。【解決手段】  被写体像を光電変換する撮像面を有する撮像素子と、撮像素子へ被写体光を導く撮像光学系と、撮像光学系以外の光路で外光を内部に導く外光導入手段を有するカメラにおいて、外光導入手段は、撮像光学系によって被写体像が導かれる撮像領域上に外光を導くよう構成したカメラとする。【選択図】        図３
2005277629.tif 000002
【特許請求の範囲】
【請求項１】
被写体像を光電変換する撮像面を有する撮像素子と、該撮像素子へ被写体光を導く撮像光学系と、前記撮像光学系以外の光路で外光を内部に導く外光導入手段を有するカメラにおいて、
前記外光導入手段は、前記撮像光学系によって被写体像が導かれる撮像領域上に外光を導くよう構成したことを特徴とするカメラ。
【請求項２】
前記外光導入手段により導かれた外光から得られる前記撮像素子の出力に基づき、前記撮像素子から得られた被写体画像データのホワイトバランス処理をおこなうことを特徴とする請求項１に記載のカメラ。
【請求項３】
前記外光導入手段は、前記撮像光学系が沈胴状態から撮影可能な状態へ移行する途中で、外光を導くようにしたことを特徴とする請求項１又は２に記載のカメラ。
【請求項４】
前記外光導入手段が前記撮像素子へ外光を導いているときは、前記撮像光学系の光路を遮蔽し、前記撮像光学系が前記撮像素子へ被写体光を導いているときは、前記外光導入手段からの外光を前記撮像素子へ到達させないよう構成したことを特徴とする請求項１〜３のいずれか１項に記載のカメラ。
【発明の詳細な説明】
【技術分野】
【０００１】
本発明はカメラ、詳しくは被写体像を撮像素子で光電変換し、所定の処理を施した後の画像デジタルデータを、記憶手段に保存するカメラに関するものである。
【背景技術】
【０００２】
従来より、撮像光学系を介して被写体像を撮像素子で撮像し、記憶するデジタルカメラやビデオカメラでは、得られた画像データにホワイトバランス調整を施すことが一般におこなわれている。
【０００３】
このホワイトバランス調整は、以下の２つの方法に大別される。（１）測色センサを備えずに、撮影した被写体画像データを所定の予め決められたアルゴリズムに基づいて、画像データにホワイトバランス処理を施す方法、（２）測色センサを備え、撮像時の被写界周辺の色温度を測定し、この測定された色温度に基づいて、撮影した被写体画像データにホワイトバランス処理を施す方法がある。
【０００４】
後者の方法のものとして、撮像素子上の被写体を撮像する撮像面を被写体像を光電変換する撮像領域と乳白色光を受光する領域に分割して、この乳白色光を受光する領域に外光に由来する乳白色光を導くようにしたカメラが開示されている（例えば、特許文献１参照）。
【特許文献１】特開平６−１５３２０８号公報
【発明の開示】
【発明が解決しようとする課題】
【０００５】
上記のホワイトバランス調整のうち、前者の方法は経験値や予想値に基づいて補正をおこなうものであり、被写体条件によっては誤った調整をおこなってしまう場合がある。
【０００６】
一方、後者の方法は撮影毎に測色情報（被写界周辺の色温度情報）を得ることができるため、好適な方法である。しかし、測色用の測光素子を必要とするため、コスト増、スペース増等の問題がある。また、上記の特許文献１に記載のカメラは測色用の測光素子は不要となるが、撮像素子上に形成された有効画素部分を撮影領域と乳白色光を受光する領域に分割して使用するため、撮影画像は撮像素子の有効画素全体を用いることができず、撮像素子の持つ画素数を充分に利用できないという問題がある。
【０００７】
本発明は上記問題に鑑み、撮影時に撮像素子の有効画素全体を用いることができると共に、測色のために用意された測光素子を備えることなく、被写界の測色情報を得て、的確なホワイトバランス調整をおこなうことができるカメラを得ることを目的とするものである。
【課題を解決するための手段】
【０００８】
上記の課題は、以下の構成で解決される。
【０００９】
１）  被写体像を光電変換する撮像面を有する撮像素子と、該撮像素子へ被写体光を導く撮像光学系と、前記撮像光学系以外の光路で外光を内部に導く外光導入手段を有するカメラにおいて、前記外光導入手段は、前記撮像光学系によって被写体像が導かれる撮像領域上に外光を導くよう構成したことを特徴とするカメラ。
【００１０】
２）  前記外光導入手段により導かれた外光から得られる前記撮像素子の出力に基づき、前記撮像素子から得られた被写体画像データのホワイトバランス処理をおこなう１）のカメラ。
【００１１】
３）  前記外光導入手段は、前記撮像光学系が沈胴状態から撮影可能な状態へ移行する途中で、外光を導くようにした１）又は２）のカメラ。
【００１２】
４）  前記外光導入手段が前記撮像素子へ外光を導いているときは、前記撮像光学系の光路を遮蔽し、前記撮像光学系が前記撮像素子へ被写体光を導いているときは、前記外光導入手段からの外光を前記撮像素子へ到達させないよう構成した１）〜３）のいずれかのカメラ。
【発明の効果】
【００１３】
上記１）の構成によれば、撮影時には撮像素子の有効画素全体を用いることができると共に、測色のために用意された測光素子を備えることなく、被写界の光源の測色情報を得て、的確なホワイトバランス調整をおこなうことができるカメラを得ることが可能となる。
【００１４】
上記２）の構成によれば、的確なホワイトバランス調整をおこなうカメラを得ることができる。
【００１５】
上記３）の構成によれば、撮影のシーケンス中に測色動作をさせる時間を必要とせず、ストレスのない軽快なフィーリングの撮影をおこなうことができる。
【００１６】
上記４）の構成によれば、正確な測色をおこなうことができる。
【発明を実施するための最良の形態】
【００１７】
以下、実施の形態により本発明を詳しく説明するが、本発明はこれに限定されるものではない。
【００１８】
図１は、本発明に係るデジタルカメラの外観図である。図１（ａ）はカメラ前面の斜視図、図１（ｂ）はカメラ背面の斜視図である。
【００１９】
図１（ａ）において、８１はズームレンズ等の撮像光学系であり、８２はファインダ窓、８３はレリーズ釦、８４はフラッシュ発光部、８６は調光用センサ窓、８７はストラップ取り付け部、８８は外部入出力端子（例えば、ＵＳＢ端子）である。８９はレンズカバーであり、このレンズカバー８９の操作によりメインスイッチがＯＮ、ＯＦＦされるようになっており、メインスイッチＯＦＦ時には撮像光学系８１は沈胴する。このカメラの上面には、乳白色板１０３が取り付けられている。この乳白色板１０３から、後述の外光導入手段によって、外光をカメラ内部へ取り込むようになっている。
【００２０】
レリーズ釦８３はその１段の押し込み（以後スイッチＳ１のＯＮという）によりカメラの撮影準備動作、即ち焦点合わせ動作や測光動作が行われ、その２段の押し込み（以後スイッチＳ２のＯＮという）により撮影露光動作が行われる。
【００２１】
図１（ｂ）において、９１はファインダ接眼部、９２は赤と緑の表示ランプであり、ＡＦやＡＥの情報をスイッチＳ１がＯＮされた時、点灯もしくは点滅により撮影者に表示するものである。９３はズーム釦であり、ズームアップ、ズームダウンをおこなう釦である。９５はメニュー／セット釦、９６は選択釦で４方向スイッチであり、１００は画像表示部であり画像やその他文字情報等を表示する。メニュー／セット釦９５で、画像表示部１００上に各種のメニューを表示させ、選択釦９６で選択し、メニュー／セット釦９５で確定させる機能を有している。９７は再生釦で、撮影した画像の再生をおこなう釦である。９８はディスプレイ釦で、画像表示部１００に表示された画像やその他文字情報の表示や消去を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード型の記録用メモリが挿脱可能になっている。
【００２２】
図２は、図１に示すデジタルカメラの内部構成を示す概略ブロック図である。同図を用い、内部構成について説明する。なお、本発明は、撮像素子としてＣＣＤ、ＣＭＯＳ等が適用可能であるが、以下の図においては、撮像素子としてＣＣＤイメージセンサを用いたもので説明する。
【００２３】
同図において、４０は各回路を制御するＣＰＵである。撮像光学系８１は、レンズ部１、絞りシャッターユニット２、赤外光カットフィルタとオプチカルローパスフィルタを積層した光学フィルタ３、第１モータ４、第２モータ５及び絞りシャッタアクチュエータで構成されている。
【００２４】
レンズ部１は、より詳しくは複数のレンズを有するレンズ系として構成されており、これら複数のレンズの光軸上の位置を第１モータ４を駆動することにより移動させ、沈胴及び変倍がおこなわれるようになっている。また、これら複数のレンズの内、フォーカシングに用られるレンズは、第２モータ５により駆動され焦点調節がおこなわれる。更に、絞りシャッターユニットは絞りシャッタアクチュエータ６により開閉し、露光量の調定がなされる。この、第１モータ４、第２モータ５、絞りシャッタアクチュエータ６は、それぞれＣＰＵ４０からの制御信号により制御される第１モータ駆動回路７、第２モータ駆動回路８、絞りシャッタ駆動回路９を介して駆動される。
【００２５】
タイミングジェネレータ１０は、タイミング制御回路１１から送られるクロックに基づきＣＣＤ１２の駆動制御信号を生成するものであり、例えばＣＣＤ１２の電荷の蓄積開始と終了のタイミング信号、各画素の電荷蓄積量の読み出し制御信号（水平同期信号、垂直同期信号、転送信号）等のクロック信号を生成しＣＣＤ１２へ出力する。撮像回路１３は、ＣＣＤ１２により被写体光が光電変換され、例えば原色系のフィルタが用いられたＣＣＤの場合、Ｒ（赤）、Ｇ（緑）、Ｂ（青）の各色成分の画像アナログ信号を信号処理部１４へ出力する。
【００２６】
また、ＣＣＤ１２へは、撮像光学系８１以外の光路で、乳白色板１０３（図１参照）からの外光を内部に導く外光導入手段８５を有し、この外光導入手段８５は、外光を光学フィルタ３を通して、ＣＣＤ１２の被写体像を光電変換する撮像領域上に導くようにも構成されている。即ち、ＣＣＤ１２は、撮像光学系８１による被写体像を光電変換する機能と、外光導入手段８５による外光に照明された乳白色板１０３の投影像を光電変換する機能の両方を有している。
【００２７】
信号処理部１４は、撮像回路１３から出力された画像アナログ信号に信号処理を施すものである。信号処理部１４においては、上記の二つの機能のそれぞれの場合について、相関二重サンプリング（ＣＤＳ）、オートゲインコントロール（ＡＧＣ）により画像アナログ信号のノイズ低減とゲイン調整をおこない画像処理部１５へ出力する。
【００２８】
画像処理部１５では、タイミング制御回路１１からのＡ／Ｄ変換用クロックに基づき、入力された画像アナログ信号をＡ／Ｄ変換し、デジタル信号（以下、画素データと称す）に変換する。次に、画素データの黒レベル補正をおこなった後、ホワイトバランスの調整がおこなわれる。
【００２９】
ホワイトバランスの調整は、上述の外光導入手段８５による外光に照明された乳白色板１０３の投影像を光電変換することにより得られた画素データをＣＰＵ４０で評価し、ホワイトバランス処理の各色データの補正量を決定し、この補正量に基づいて撮像光学系８１による被写体像を光電変換した被写体画像データのホワイトバランス処理をおこなうようになっている。
【００３０】
この後、γ補正をおこない、画素データを画像メモリ１６に出力する。画像メモリ１６は、画像処理部１５から出力された画素データを記憶するメモリである。
【００３１】
ＶＲＡＭ１７は、画像表示部１８で表示する画像のバッファメモリであり、少なくとも画像表示部１８の画素数と表示に必要なビット数の積算値以上の記憶容量を有している。画像表示部１８には、例えばＬＣＤ、有機ＥＬ等の表示装置が用いられる。なお、使用される表示装置に応じ、ＶＲＡＭ１７と画像表示部１８の間に、画素データをＤ／Ａ変換するＤ／Ａ変換部が設けられる。
【００３２】
これにより、撮影時のフレーミング時には、所定時間間隔で撮像された画素データが画像メモリ１６に記憶されると共に、ＣＰＵ４０で所定の信号処理後にＶＲＡＭ１７へ転送され、画像表示部１８に表示がおこなわれ、被写体像を確認することができ、ファインダとして使用できる（以下、プレビュー画像表示と称す）ようになっている。
【００３３】
また、挿脱可能な記録用メモリ２０に記録された撮影済みの画像は、インターフェイス１９を介しＣＰＵ４０へ転送され、ＣＰＵ４０で所定の信号処理後にＶＲＡＭ１７へ転送され、画像表示部１８に表示がおこなわれ、再生が可能となっている。
【００３４】
インターフェイス１９は、挿脱可能な記録用メモリ２０と信号の授受をおこなうもので、より具体的には記録用メモリ２０への画像データの書き込み及び記録された画像データの読み出しをおこなうものである。
【００３５】
インターフェイス３２は、外部のパーソナルコンピュータ或いはプリンタと信号の授受をおこなうもので、外部入出力端子（例えばＵＳＢ端子）８８を介して、記録用メモリ２０内に記録された画像データを読み出し、外部のパーソナルコンピュータ或いはプリンタへ送出したり、外部のパーソナルコンピュータ或いはプリンタよりデータを受け取ったりするものである。
【００３６】
フラッシュ制御回路２１は、フラッシュ発光部２２の発光を制御する回路である。フラッシュ制御回路２１は、ＣＰＵ４０により制御され、フラッシュ発光の有無、発光タイミング、発光用コンデンサへの充電等を制御しすると共に、調光用センサ２３に接続された調光回路２４から入力される発光停止信号に基づき発光を停止させるようになっている。
【００３７】
時計回路２５は、撮影された日時を管理するものであり、各部へ電源を供給する給電回路２７から電源供給を受けて作動するようにしてもよいが、図示しない別電源で作動させることが望ましい。
【００３８】
ＣＰＵ４０及び各部への電力供給は給電回路２７によっておこなわれる。この給電回路２７には、電池２６或いは、ＤＣ入力端子２８を介しＡ／Ｃアダプタ２９から電力が供給される。
【００３９】
操作ＳＷ３０は、図１に示すレリーズ釦８３、ズーム釦９３、メニュー／セット釦９５等の各種操作釦によりＯＮ／ＯＦＦするスイッチ群である。この操作ＳＷ３０のＯＮ／ＯＦの信号は、ＣＰＵ４０に送られ、ＣＰＵ４０はＯＮされた操作ＳＷに応じて各部の動作を制御することになる。
【００４０】
ＥＥＰＲＯＭ３１は、不揮発性のメモリであり、カメラの個々に異なる特性値を記憶させておくために用いられる。この個々に異なる特性値とは、例えばズーム撮像光学系８１の各焦点距離におけるフォーカシングレンズの無限位置の情報等であり、製造工程内で書き込まれるものである。この、カメラ個々に異なる特性値を、ＣＰＵ４０は必要に応じＥＥＰＲＯＭ３１から読み出し、各部の制御に利用するようになっている。
【００４１】
なお、ＣＰＵ４０は、データの授受、各部のタイミング制御をおこなうのみならず、その他種々の機能をソフトウェアでおこなうものとなっている。例えば、画像メモリ１６で得られた画素データに基づく撮影時の絞り値とシャッタ速度の露光条件の決定（ＡＥ機能）、フォーカシングレンズを小刻みに移動させ、それぞれで得られた画素データから画像データを生成し、この画像データに基づいて評価をおこない最適なフォーカシングレンズ位置の決定（ＡＦ機能）、記録用メモリ２０へ記録するために画素データから画像データを生成し圧縮する機能、記録用メモリ２０に記録された画像を画像表示部１００に表示するために、記録用メモリ２０に記録された画像データを、読み出し伸張する機能、以下に説明する画像処理の機能等を有するものである。
【００４２】
以上が、本発明に係るデジタルカメラの内部構成である。
【００４３】
図３は、本発明に係るカメラの、外光に照明された乳白色板１０３の投影像を撮像素子であるＣＣＤ１２へ導く時と、撮像光学系８１による被写体像を導く時の、外光導入手段８５と撮像光学系８１の状態を示す模式図である。同図（ａ）は、撮像光学系８１の沈胴時の状態を示し、同図（ｂ）は、撮像光学系８１が沈胴位置から撮影可能位置へ移動する途中の状態を示し、同図（ｃ）は、撮像光学系８１が撮影可能位置となった状態を示している。また、同図（ａ）〜（ｃ）は、それぞれ左の図が正面からみた図であり、右の図が断面を示している。なお以下の図においては、説明の重複を避けるため、同機能部材には同符号を付与して説明する。
【００４４】
同図（ａ）に示すように、カメラの撮像光学系８１の沈胴時は、内部の絞りシャッターユニット２は閉状態に保たれ、また、外光導入手段８５は図示のごとく撮像光学系８１と離れ、退避状態となっている。この沈胴状態から、図示しないメインスイッチがＯＮされると、撮像光学系８１は繰り出しを開始する。
【００４５】
同図（ｂ）に示すように、撮像光学系８１が繰り出される途中において、外光導入手段８５は回動中心８５ｔを中心に図示矢印で示す方向に回動し、外光に照明された乳白色板１０３の投影像を光学フィルタ３を通して、撮像素子であるＣＣＤ１２上に結像させる。外光導入手段８５は図示のように、反射鏡８５ｍ、８５ｎ、８５ｐと乳白色板１０３の像をＣＣＤ１２上に結像させるレンズ８５ｒで構成されている。この時、乳白色板１０３の像は、被写体像を光電変換する撮像領域上の少なくとも一部に投影され、この時の乳白色板１０３の像を光電変換することにより、得られた画素データから、ホワイトバランス処理時の各色データの補正量が決定される。
【００４６】
更に、撮像光学系８１は繰り出しを続け、同図（ｃ）に示すように、撮影可能状態（例えばワイド端の状態）で停止する。この時、外光導入手段８５は図示のごとくＣＣＤ１２から退避した状態となり、内部の絞りシャッターユニット２は開状態とされ、ＣＣＤ１２は撮像光学系８１による被写体像を受光し、プレビュー画像表示が可能な状態となる。
【００４７】
図４は、外光導入手段８５の回動による外光の遮蔽と導入の状態変化を示す模式図である。同図は、乳白色板１０３と外光導入手段８５の回動中心８５ｔ付近を抜き出して示したものである。同図（ａ）は、回動中心８５ｔを中心に回動し、図３（ｂ）に示す外光をＣＣＤ１２へ導入する時の状態を示し、同図（ｂ）は、図３（ａ）及び図３（ｃ）に示す外光導入手段８５が撮像光学系８１と離れて退避した時の状態を示している。
【００４８】
同図（ａ）に示すように、外光導入手段８５は開口部８５ｋを有しており、この開口部８５ｋからの光が外光導入手段８５内へ導入されるようになっている。このため、図３（ｂ）に示す状態の時には、この開口部８５ｋが乳白色板１０３側に対向するようになり、外光導入手段８５は、外光により照明された乳白色板１０３の像をＣＣＤ１２へ導入することができるようになる。
【００４９】
一方、同図（ｂ）に示すように、外光導入手段８５が回動中心８５ｔを中心に回動して撮像光学系８１から退避した状態（図３（ａ）、（ｃ）参照）では、開口部８５ｋも回動して乳白色板１０３からの光は導入できない遮蔽状態となる。
【００５０】
これにより、図３で説明した絞りシャッターユニット２の動作と、図４で説明した外光導入手段８５の動作により、外光導入手段８５が撮像素子へ外光を導いているときは、撮像光学系８１の光路を遮蔽し、撮像光学系８１が撮像素子へ被写体光を導いているときは、外光導入手段８５からの外光を撮像素子へ到達させないようにすることができる。
【００５１】
図５は、外光導入手段８５を、退避位置と外光導入する位置に回動させる機構の一例を示した図である。同図（ａ）は、撮像光学系８１の沈胴時の状態を示し、同図（ｂ）は、沈胴位置から撮影可能位置（例えばワイド位置）へ移動する途中の状態を示し、同図（ｃ）は、撮像光学系８１が撮影可能位置（例えばワイド位置）となった状態を示している。
【００５２】
同図において、８１ｃは撮像光学系を沈胴及び変倍させるためのカム筒である。なお、図示していないが、カム筒８１ｃを正逆回転させるための第１モータ４（図２参照）及び減速歯車列で構成された駆動系と、このカム筒８１ｃの回転角を検知する検知部材がそれぞれ連結されている。回転角を検知する検知部材は、減速歯車列中に配置しても良い。また、カム筒８１ｃには、正逆回転させる歯車列とは別の所定の位置に、欠損歯車部８１ｇが形成されている。
【００５３】
一方、外光導入手段８５には、欠損歯車部４１ｇを有する係合部材４１が回動中心８５ｔと同軸で、独立して回動可能に組み付けられている。この係合部材４１は、引っ張りコイルバネ４２により、外光導入手段８５に形成されたストッパ８５ｓに当接するよう付勢されている。また、外光導入手段８５は、引っ張りコイルバネ４３により、撮像光学系から退避する方向に付勢されている。
【００５４】
同図（ａ）に示す撮像光学系８１の沈胴時の状態では、外光導入手段８５は、引っ張りコイルバネ４３により、撮像光学系から離れた退避状態となっており、カム筒８１ｃに形成された欠損歯車部８１ｇは図示の位置にある。
【００５５】
この時、撮像素子の撮像領域上は、絞りシャッタユニット２は閉状態（図３（ａ）参照）であるため、図５（ａ）の右に示したように、撮像領域上に光が来ることはない。
【００５６】
カメラのメインスイッチがＯＮされると、この状態から図示しない第１モータ４（図２参照）を駆動し、カム筒８１ｃを時計回り方向に回動させる。この回動により、欠損歯車部８１ｇと係合部材４１の欠損歯車部４１ｇが噛み合い、これにより係合部材４１は回動中心８５ｔを中心に、引っ張りコイルバネ４３に抗して反時計回りに回動する。
【００５７】
この後、同図（ｂ）に示すように、沈胴位置から撮影可能位置へ移動する途中で、外光導入手段８５が撮像素子１２上に位置した時（図３（ｂ）参照）、一時的にカム筒８１ｃを停止させ、撮像素子を駆動させて、上述の、外光に照明された乳白色板の投影像を光学フィルタを通して、撮像素子上に結像させる。これにより、ホワイトバランス処理の各色データの補正のための測色データを取得する。このカム筒８１ｃの停止位置は、回転角を検知する検知部材が所定の回転角を検知することにより制御される。
【００５８】
この時、絞りシャッタユニット２は閉状態であり（図３（ｂ）参照）、図５（ｂ）の右に示したように、撮像領域上に外光導入手段８５による乳白色板１０３の投影像が形成される。
【００５９】
この後、更にカム筒８１ｃを時計回り方向に回動させる。これにより、欠損歯車部８１ｇと係合部材４１の欠損歯車部４１ｇの噛み合いがはずれ、同図（ｃ）に示すように、外光導入手段８５は、引っ張りコイルバネ４３の付勢力により退避状態となる。
【００６０】
カム筒８１ｃは、この後、ワイド位置で停止し、上述のように、絞りシャッターユニットを開状態とし、撮像素子は撮像光学系８１による被写体像を受光し、プレビュー画像表示が可能な状態となる。これ以降のカム筒８１ｃの時計回り方向への回動は変倍動作となる。
【００６１】
この時、絞りシャッタユニット２は開状態であり（図３（ｃ）参照）、図５（ｃ）の右に示したように、撮像領域上に撮像光学系８１による被写体像が形成される。
【００６２】
一方、この撮影可能状態から沈胴状態へは、カム筒８１ｃの反時計回り方向への回動でおこなわれる。このカム筒８１ｃの反時計回り方向への回動の場合には、係合部材４１の欠損歯車部４１ｇは、欠損歯車部８１ｇの回動に対し、引っ張りコイルバネ４２に抗して独立して時計回り方向に回動して受け流し、噛み合うことはない。
【００６３】
図６は、本発明に係るカメラの動作を示すフローチャートである。本発明は撮影時に関するものであるため、予めカメラが撮影モードに設定されているものとして説明する。同図に示すフローに従い説明する。
【００６４】
同図において、メインスイッチがＯＮされると、沈胴位置にある撮像光学系を撮影可能位置に向け、繰り出し動作を開始する（ステップＳ２０１）。
【００６５】
次いで、繰り出し途中の位置である、予め決められた所定位置で停止する（ステップＳ２０２）。この状態は、図３（ｂ）に示した状態である。この状態で次ステップに移行し、撮像素子及び関連する各回路を動作させ、光量に応じて蓄積時間を決定した後、外光導入手段による乳白色板の投影像を光電変換して得られた画素データを取り込んで評価し、ホワイトバランス処理時の各色データの補正量を決定し、ＣＰＵに記憶する（ステップＳ２０３）。
【００６６】
この動作終了後、繰り出し動作を再開し、撮像光学系の撮影可能位置で停止させる（ステップＳ２０４）。これで、図３（ｃ）及び図５（ｃ）に示す状態となり、撮像光学系による被写体像のプレビュー画像表示をおこなう（ステップＳ２０５）。
【００６７】
次に、メインスイッチがＯＮしているか判断する（ステップＳ２０６）。メインスイッチがＯＮしていれば（ステップＳ２０６；Ｙｅｓ）、再度Ｓ１がＯＮしているか判断し（ステップＳ２０７）、Ｓ１がＯＦＦされていれば（ステップＳ２０７；Ｎｏ）、Ｓ２０６へ戻り、ステップＳ２０６とステップＳ２０７のループを繰り返す。即ち、ここでメインスイッチがＯＮされている限りは、Ｓ１がＯＮされるのを待機するということである。
【００６８】
ステップＳ２０７でＳ１がＯＮされる（ステップＳ２０７；Ｙｅｓ）と、ＡＥ・ＡＦ機能動作をおこなう（ステップＳ２０８）。ＡＥ・ＡＦ機能動作とは、カメラの撮影準備動作のうちの焦点合わせ動作と測光動作を指す。ステップＳ２０７でＳ１がＯＦＦされる（ステップＳ２０７；Ｎｏ）と、ステップＳ２０６へ戻り上述の動作を繰り返す。
【００６９】
ＡＥ・ＡＦ機能動作終了後、再度Ｓ１がＯＮされているか判断し（ステップＳ２０９）、ＯＮされていれば（ステップＳ２０９；Ｙｅｓ）、Ｓ２がＯＮされたか判断する（ステップＳ２１０）、Ｓ２がＯＦＦの場合は（ステップＳ２１０；Ｎｏ）、ステップＳ２０９へ戻る。即ち、ここでＳ１がＯＮされている限りは、Ｓ２がＯＮされるのを待機するということである。
【００７０】
Ｓ２がＯＮされると（ステップＳ２１０；Ｙｅｓ）、撮影動作がおこなわれ（ステップＳ２１１）、撮像素子により被写体像を光電変換して取り込み上述の所定の画像処理をおこなう（ステップＳ２１２）。この画像処理は、公知の種々の処理に加え、ステップＳ２０３でＣＰＵに記憶した各色データの補正量に基づいた、ホワイトバランス処理も含まれる。
【００７１】
この後、上記の処理が施された被写体画像データを記録用メモリへ記録する。これで、１枚の撮影記録が終了し、ステップＳ２０６へ戻り、メインスイッチがＯＮ（ステップＳ２０６；Ｙｅｓ）されていれば上記の動作を繰り返すことになる。
【００７２】
一方、ステップＳ２０６でメインスイッチがＯＦＦされると（ステップＳ２０６；Ｎｏ）、撮像光学系の沈胴等の終了動作をおこない（ステップＳ２１４）、終了する。
【００７３】
このようにすることで、カメラのメインスイッチがＯＮされる度に、撮像光学系を撮影可能位置へ繰り出す動作に連動して、外光の測色データを得ることが可能になる。
【００７４】
また、上述のホワイトバランス処理の方法は、詳述しないが公知の例えば、特開平６−１５３２０８号公報、特開平６−１６５１８９号公報、特開２００３−１６９３４０号公報等に記載された方法を適用することができる。
【００７５】
以上説明したように、外光導入手段により、被写体像を光電変換する撮像領域上に外光色温度を測定（測色）するための外光を導くよう構成することにより、撮影時には撮像素子の有効画素部全体を用いることができると共に、測色のために用意された測光素子を備えることなく、被写界の測色情報を得て、的確なホワイトバランス調整をおこなうことができるカメラを得ることが可能となる。
【００７６】
なお、撮像光学系の沈胴を妨げない位置に外光導入手段を配置し、乳白色板と外光導入手段の間に簡易なシャッタを配置して、撮影光学系の繰り出し途中或いは撮影直前に、撮像光学系内の絞りシャッタユニットを閉状態にして、簡易なシャッタを開状態として測色するよう構成しても本発明を逸脱するものではない。
【図面の簡単な説明】
【００７７】
【図１】本発明に係るデジタルカメラの外観図である。
【図２】図１に示すデジタルカメラの内部構成を示す概略ブロック図である。
【図３】本発明に係るカメラの、外光に照明された乳白色板の投影像を撮像素子であるＣＣＤへ導く時と、撮像光学系による被写体像を導く時の、外光導入手段と撮像光学系の状態を示す模式図である。
【図４】外光導入手段の回動による外光の遮蔽と導入の状態変化を示す模式図である。
【図５】外光導入手段を、退避位置と外光導入する位置に回動させる機構の一例を示した図である。
【図６】本発明に係るカメラの動作を示すフローチャートである。
【符号の説明】
【００７８】
２  絞りシャッタユニット
３  光学フィルタ
１２  撮像素子
８１  撮像光学系
８５  外光導入手段
１０３  乳白色板
【図１】
2005277629.tif 000003
【図２】
2005277629.tif 000004
【図３】
2005277629.tif 000005
【図４】
2005277629.tif 000006
【図５】
2005277629.tif 000007
【図６】
2005277629.tif 000008